(57)【特許請求の範囲】
【請求項１】
単位画素がＲＧＢのセルで構成されるカラー表示デバイスを用いてモノクロ画像を表示する画像表示方法であって、
入力データに対応する輝度値が単位画素を構成するＲＧＢの各セルにそれぞれ配分されるＲの輝度値、Ｇの輝度値およびＢの輝度値の和として表され、Ｒの輝度値、Ｇの輝度値およびＢの輝度値が全て等しい組み合わせに加え、Ｒの輝度値、Ｇの輝度値およびＢの輝度値のうちの１つのみが異なる組み合わせを用いることにより、前記カラー表示デバイスのＲＧＢそれぞれの再現能力より大きな階調分解能を有するモノクロ画像を表示することを特徴とする画像表示方法。
【請求項２】
前記入力データの最小値と最大値とを、前記カラー表示デバイスにおいて前記単位画素のＲＧＢの組み合わせで表示可能な実質上の最小輝度値と最大輝度値とにそれぞれ対応させる請求項１に記載の画像表示方法。
【請求項３】
前記入力データの最大値が、Ｒ＋Ｇ＋Ｂの値となるように、前記入力データを変換し、輝度値として使用する請求項２に記載の画像表示方法。
【請求項４】
前記入力データの最小値と最大値との間の入力データを、前記入力データ値と輝度値とを関係付ける特性曲線を用いて輝度値に変換する請求項２または３に記載の画像表示方法。
【請求項５】
前記入力データに対応する輝度値が配分されて得られたＲＧＢそれぞれのデータは、これを、ＣＩＥ色度図上の座標（ｘ，ｙ）で示すとき、各座標（０．１７４，０），（０．４，０．４），（α，０．４）（ここで、αはスペクトル軌跡とｙ軸方向の座標が０．４である直線との交点のｘ座標であり、α＜０．４である）で囲まれた領域内にあるものである請求項１〜４のいずれか１項に記載の画像表示方法。
【請求項６】
前記入力データとＲＧＢの各データの組とを、１：１の対応付けで使用する請求項５に記載の画像表示方法。
【請求項７】
前記ＲＧＢの各データを、複数の時分割フレームのデータに配分し、該各フレームに配分されたデータで、前記ＲＧＢのセルを独立に時分割駆動する請求項１〜６のいずれか１項に記載の画像表示方法。
【請求項８】
単位画素がＲＧＢのセルで構成されるカラー表示デバイスと、
入力データに対応する輝度値が前記単位画素のＲの輝度値、Ｇの輝度値およびＢの輝度値の和として表され、Ｒの輝度値、Ｇの輝度値およびＢの輝度値が全て等しい組み合わせ、および、Ｒの輝度値、Ｇの輝度値およびＢの輝度値のうちの１つのみが異なる組み合わせ、のいずれかとなるように、該カラー表示デバイスに表示するモノクロ画像の入力データに対応する輝度値を前記単位画素を構成するＲＧＢの各セルにデータ配分するデータ配分手段と、
該データ配分手段により配分されたモノクロ画像のデータを、前記カラー表示デバイスに表示出力する処理手段とを有することを特徴とする画像表示装置。
【請求項９】
前記データ配分手段は、前記入力データの最小値と最大値とを、前記カラー表示デバイスにおいて前記単位画素のＲＧＢの組み合わせで表示可能な実質上の最小輝度値と最大輝度値とにそれぞれ対応させるものである請求項８に記載の画像表示装置。
【請求項１０】
前記データ配分手段は、前記入力データの最大値が、Ｒ＋Ｇ＋Ｂの値となるように、前記入力データを変換し、輝度値として使用するものである請求項９に記載の画像表示装置。
【請求項１１】
前記データ配分手段は、前記入力データの最小値と最大値との間の入力データを、前記入力データ値と輝度値とを関係付ける特性曲線を用いて輝度値に変換する請求項９または１０に記載の画像表示方法。
【請求項１２】
前記データ配分手段によって前記入力データに対応する輝度値が配分されて得られたＲＧＢそれぞれのデータは、これを、ＣＩＥ色度図上の座標（ｘ，ｙ）で示すとき、各座標（０．１７４，０），（０．４，０．４），（α，０．４）（ここで、αはスペクトル軌跡とｙ軸方向の座標が０．４である直線との交点のｘ座標であり、α＜０．４である）で囲まれた領域内にあるものである請求項８〜１１のいずれか１項に記載の画像表示装置。
【請求項１３】
前記データ配分手段は、前記入力データとＲＧＢの各データの組とを、１：１の対応付けで使用する請求項１２に記載の画像表示装置。
【請求項１４】
前記各手段に加えて、前記ＲＧＢの各データを、複数の時分割フレームのデータに配分し、該各フレームに配分されたデータで、ＲＧＢを独立に時分割駆動する制御手段を有する請求項８〜１３のいずれか１項に記載の画像表示装置。
【発明の詳細な説明】
【０００１】
【発明の属する技術分野】
本発明は画像表示方法およびこれに用いる画像表示装置に関し、より具体的には、単位画素がＲＧＢのセルで構成されるカラー表示デバイスを用いてモノクロ画像を表示する際の再現能力を高めた、すなわち、表示階調数の多階調化を可能とした画像表示方法およびこれに用いる画像表示装置に関する。
【０００２】
【従来の技術】
Ｘ線診断装置，ＭＲＩ（磁気共鳴イメージング）診断装置，各種ＣＴ（コンピュータ断層撮影）装置などの医療用診断装置で撮影された診断画像は、通常、Ｘ線フィルムや他のフィルム感光材料などの光透過性の画像記録フィルムに記録され、光透過性の画像として再生される。この診断画像が再生されたフィルムは、シャーカステンと呼ばれる観察用の装置にセットされて、背面から光を照射された状態で観察され、診断が行われる。
【０００３】
また、各種の医療用診断・計測装置では、撮影・計測した画像を観察するためのモニタとして、ＣＲＴディスプレイやＬＣＤ（液晶ディスプレイ）が接続されており、これらのモニタに出力された画像により、診断あるいはフィルム出力前の診断画像の確認、調整や画像処理などが行われている。
【０００４】
ところで、前述の、医療用診断装置で撮影された画像をフィルム上に再生する場合、あるいは、上述の医療用診断・計測装置で撮影・計測した画像をフィルム上に再生する場合には、通常、ブルーベースのモノクロフィルムが用いられることが多い。また、通常、１０ビットの階調分解能（１０２４階調）で画像が再生される場合が多い。
【０００５】
ここで問題となるのは、前述のＣＲＴディスプレイでは、通常８ビットの階調分解能で画像表示が行われ、また、ＬＣＤでは通常６ビット、最新の高性能なもので８ビットの階調分解能で画像表示が行われるため、通常のディスプレイでは、画像を表示する際には、上述の医療用診断・計測装置などで撮影・計測して出力される画像よりも階調分解能が低い、いわゆるビット落ちした画像データによる表示が行われることである。
【０００６】
このため、場合によっては、上述のビット落ちに起因する、等高線状のアーチファクト（偽輪郭）と呼ばれる一種のノイズが発生する。このようなノイズは、診断の信頼性を著しく損なう原因になるものであり、医療用診断画像にとってはあってはならないものである。
【０００７】
これに関しては、時分割（例えば、フレームレートコントロール法、以下、ＦＲＣ法と呼ぶことにする）表示の利用が提案されている。ここで、ＦＲＣ法による表示では、例えば、１０ビットの画像データを分割して４つの８ビットの画像データとし、このデータを、周波数を上げて順次表示することにより、８ビットで１０ビットの階調表現を行うというものである。
【０００８】
【発明が解決しようとする課題】
上述の、ＦＲＣ法による画像表示においては、フリッカ（画面のチラツキ）が問題となる。このフリッカをなくすためには、フレーム周波数を上げて、高速で表示切り換えを行う必要があるが、モニタのドライバＩＣや、モニタ自身の応答速度には限界がある。
【０００９】
特に、前述の医療用の診断に用いられる表示装置の場合には、高画質化のために高精細な画像表示、例えば、ＱＳＸＧＡ（２５６０画素×２０４８画素）で画像表示を行うようにして、画素数が増加した場合には、これに対応することは非常に困難になる。
【００１０】
本発明は、上記事情に鑑みてなされたもので、その目的とするところは、従来の技術における問題を解消し、医療分野で用いられているモノクロ画像を、診断に適した高精細な表示画像として表示可能とした、すなわち、表示階調数の多階調化を可能とした画像表示方法およびこれに用いる画像表示装置を提供することにある。
【００１１】
本発明の他の目的は、医療分野で用いられているモノクロ画像を、前述のような、診断に慣れた従来のブルーベースのモノクロフィルム上の画像と違和感なく扱える高精細な表示画像として表示可能とした、すなわち、従来のブルーベースのモノクロフィルム上の画像と違和感ない画像を多階調表示可能とした画像表示方法およびこれに用いる画像表示装置を提供することにある。
【００１２】
【課題を解決するための手段】
上記目的を達成するため、本発明に係る画像表示方法は、単位画素がＲＧＢのセルで構成されるカラー表示デバイスを用いてモノクロ画像を表示する際に、入力データに対応する輝度値が単位画素を構成するＲＧＢの各セルにそれぞれ配分されるＲの輝度値、Ｇの輝度値およびＢの輝度値の和として表され、Ｒの輝度値、Ｇの輝度値およびＢの輝度値が全て等しい組み合わせに加え、Ｒの輝度値、Ｇの輝度値およびＢの輝度値のうちの１つのみが異なる組み合わせを用いることにより、前記カラー表示デバイスのＲＧＢそれぞれの再現能力より大きな階調分解能を有するモノクロ画像を表示することを特徴とする。
【００１３】
本発明に係る画像表示方法においては、前記入力データの最小値と最大値とを、前記カラー表示デバイスにおいて前記単位画素のＲＧＢの組み合わせで表示可能な実質上の最小輝度値と最大輝度値とにそれぞれ対応させることを特徴とする。また、本発明に係る画像表示方法においては、前記入力データの最大値が、Ｒ＋Ｇ＋Ｂの値となるように、前記入力データを変換し、輝度値として使用することを特徴とする。また、本発明に係る画像表示方法においては、前記入力データの最小値と最大値との間の入力データを、前記入力データ値と輝度値とを関係付ける特性曲線を用いて輝度値に変換することを特徴とする。
【００１４】
またさらに、本発明に係る画像表示方法においては、前記入力データに対応する輝度値が配分されて得られたＲＧＢそれぞれのデータは、これを、ＣＩＥ色度図上の座標（ｘ，ｙ）で示すとき、各座標（０．１７４，０），（０．４，０．４），（α，０．４）（ここで、αはスペクトル軌跡とｙ軸方向の座標が０．４である直線との交点のｘ座標であり、α＜０．４である）で囲まれた領域内にあるものであることを特徴とする。ここで、前記入力データとＲＧＢの各データの組とは、１：１の対応付けで使用されることが好ましい。
【００１５】
またさらに、本発明に係る画像表示方法においては、前記ＲＧＢの各データを、複数の時分割フレームのデータに配分し、該各フレームに配分されたデータで、前記ＲＧＢのセルを独立に時分割駆動するようにしてもよい。
【００１６】
また、本発明は、上記方法を適用する画像表示装置として具体化することが可能である。
【００１７】
すなわち、本発明は、単位画素がＲＧＢのセルで構成されるカラー表示デバイスと、入力データに対応する輝度値が前記単位画素のＲの輝度値、Ｇの輝度値およびＢの輝度値の和として表され、Ｒの輝度値、Ｇの輝度値およびＢの輝度値が全て等しい組み合わせ、および、Ｒの輝度値、Ｇの輝度値およびＢの輝度値のうちの１つのみが異なる組み合わせ、のいずれかとなるように、該カラー表示デバイスに表示するモノクロ画像の入力データに対応する輝度値を前記単位画素を構成するＲＧＢの各セルにデータ配分するデータ配分手段と、該データ配分手段により配分されたモノクロ画像のデータを、前記カラー表示デバイスに表示出力する処理手段とを有することを特徴とする画像表示装置として具体化することができる。
【００１８】
本発明に係る画像表示装置においては、前記データ配分手段は、前記入力データの最小値と最大値とを、前記カラー表示デバイスにおいて前記単位画素のＲＧＢの組み合わせで表示可能な実質上の最小輝度値と最大輝度値とにそれぞれ対応させるものであることを特徴とする。また、前記データ配分手段は、前記入力データの最大値が、Ｒ＋Ｇ＋Ｂの値となるように、前記入力データを変換し、輝度値として使用するものであることを特徴とする。また、前記データ配分手段は、前記入力データの最小値と最大値との間の入力データを、前記入力データ値と輝度値とを関係付ける特性曲線を用いて輝度値に変換することを特徴とする。
【００１９】
またさらに、本発明に係る画像表示装置においては、前記データ配分手段によって前記入力データに対応する輝度値が配分されて得られたＲＧＢそれぞれのデータは、これを、ＣＩＥ色度図上の座標（ｘ，ｙ）で示すとき、各座標（０．１７４，０），（０．４，０．４），（α，０．４）（ここで、αはスペクトル軌跡とｙ軸方向の座標が０．４である直線との交点のｘ座標であり、α＜０．４である）で囲まれた領域内にあるものであることを特徴とする。ここで、前記データ配分手段は、前記入力データとＲＧＢの各データの組とを、１：１の対応付けで使用することが好ましい。
【００２０】
またさらに、本発明に係る画像表示装置においては、前記各手段に加えて、前記ＲＧＢの各データを、複数の時分割フレームのデータに配分し、該各フレームに配分されたデータで、ＲＧＢを独立に時分割駆動する制御手段を有するように構成してもよい。
【００２１】
【発明の実施の形態】
以下、添付の図面に示す好適実施例に基づいて、本発明の実施の形態を詳細に説明する。
【００２２】
図１は、本発明の一実施例に係る画像表示装置を、医療用診断装置のモニタとして用いた場合の概念図である。
図１に示す画像表示装置１０は、ＬＣＤから構成されるものであり、液晶によって画像を表示するカラー液晶パネル１２と、バックライト部１４と、後述するようなデータ処理を行うデータ処理部１６と、カラー液晶パネル１２のドライバ１８と、インタフェイス（Ｉ／Ｆ）２２から構成される。
【００２３】
上述のように構成される、本実施例に係る画像表示装置１０においては、インタフェイス２２を介して、診断画像の供給源となるＸ線診断装置，ＭＲＩ診断装置，各種ＣＴ装置などの医療用診断装置の画像撮影部Ｓが接続され、ここから画像データが供給される。
【００２４】
本実施例に係る画像表示装置に用い得るＬＣＤにおいて、カラー液晶パネルには特に制限はなく、各種のＬＣＤに用いられる公知のカラー液晶パネルが全て利用可能である。また、その動作モードも、ＴＮ（Ｔwisted  Ｎematic）モード，ＳＴＮ（Ｓuper  Ｔwisted  Ｎematic）モード，ＭＶＡ（Ｍulti-domain Ｖertical Ａlignement ）モードなどの各種の動作モードが使用可能である。
【００２５】
バックライト部１４は、カラー液晶パネル１２に表示した画像を観察するためのバックライトを射出するものであり、公知のＬＣＤのバックライト部と同様なものである。なお、ここに示した画像表示装置１０は、医療用途のモニタにも好適に利用可能なように、最大輝度５００〜５０００ｃｄ／ｍ2 の表示が可能であることが好ましい。
【００２６】
以下、データ処理部１６の機能を説明する。
図２に、カラー液晶パネル１２の表示画面の部分拡大図を示す。図２に示すように、カラー液晶パネル１２の表示画面は、カラーフィルタを用いた際に、水平方向（矢印Ａ方向）にＲ画素，Ｇ画素およびＢ画素を配列して構成されている。通常は、このＲ画素，Ｇ画素およびＢ画素を、それぞれ、Ｒ，ＧおよびＢの画像データによりカラー表示するわけであるが、ここでは、これを用いて、以下のようにして高精細モノクロ画像を表示する。
【００２７】
すなわち、本実施例に係る画像表示装置においては、図２に示したようなＲ画素，Ｇ画素およびＢ画素をまとめたものを単位画素として用いて、モノクロ画像表示を行うものである。ここでは、単位画素は、カラーフィルタを用いた際のＲ画素，Ｇ画素およびＢ画素によって構成されるので、１つの単位画素で表示可能な輝度値の設定数が、上述のＲ画素，Ｇ画素およびＢ画素各々の画素によって表示可能な輝度値の設定数の３倍となる。
【００２８】
すなわち、設定値間の輝度幅を３分の１に細かく設定して、表示画像の階調を細かくすることができるわけである。これを利用して、本実施例に係る画像表示装置においては、画像データのうちの最小値および最大値を、上述の単位画素で表示可能な最小階調値および最大階調値、すなわち、カラー表示ディスプレイにおける最小輝度値および最大輝度値に対応させて、モノクロ画像表示を行うものである。
【００２９】
例えば、図２中の画素ｐ１，ｐ２およびｐ３の３画素の各々が８ビット表示を行う場合、表示可能な輝度値は０から２５５であり、単位画素Ｐが表示可能な輝度値は０から７６５（＝２５５×３）となるが、この輝度値の最小値０を画像データの最小値（Ｍin）に対応させ、最大輝度値を画像データの最大値（Ｍax）に対応させる。これによって、高階調の表示画像を得ることができる。データ処理部１６は、さらに、画像データから変換された輝度値を単位画素Ｐに供給する際に、画素ｐ１，ｐ２およびｐ３の３画素に略均等に分散させる。
【００３０】
具体的には、画素ｐ１，ｐ２およびｐ３の各々が８ビット表示を行うカラー表示ディスプレイに８ビットの画像データが入力された場合、画像データは０から２５５までの値で構成されるが、この画像データの最小値（Ｍin）をカラー表示ディスプレイの最小輝度値０に対応させ、画像データの最大値（Ｍax）をカラー表示ディスプレイの最大輝度値７６５に対応させ、その間の輝度値を、図３に示すような画像データ値と輝度値とを関係付ける特性曲線を用いて、画像データを７６５段階の輝度値に変換する。
【００３１】
次に、データ処理部１６は、画像データから得られた輝度値を、表１に示すように略均等分散して、画素ｐ１，ｐ２およびｐ３に振り分ける。例えば、輝度値０の場合、画素ｐ１，ｐ２およびｐ３に０，０，０を配分し、以下、輝度値１では０，１，０、輝度値２では１，１，０、輝度値３では１，１，１、輝度値４では２，１，１、……、輝度値７６４では２５５，２５５，２５４、輝度値７６５では２５５，２５５，２５５というように、略均等に分散して配分する。
【００３２】
【表１】
0003969899.tif 000002
【００３３】
上述のように、輝度値を、画素ｐ１，ｐ２およびｐ３に略均等に分散して配分することにより、単位画素Ｐにおける輝度ムラが少ない、見やすい表示画像となり、例えば、医療診断において誤診断をする可能性が少なくなる。なお、上記説明では、略均等分散の方法は、最初に画素ｐ２に、次に画素ｐ１に、最後に画素ｐ３に割り付ける例を示したが、これに限らず、他の順序で割り付けるようにしてもよいことはいうまでもない。
【００３４】
モノクロの入力画像データの最大値としては、通常は、２５５（８ビット）〜４０９５（１２ビット）程度が一般的であると考えられる。この入力データを、上述のように変換すると、新たな入力データとして、表２に示すような、１８９〜３０６９が得られる。なお、表２に示したのは、前述のＦＲＣ法を用いない場合であるが、ＦＲＣ法を用いる場合には、表３に示すようになる。
【００３５】
【表２】
0003969899.tif 000003
【００３６】
【表３】
0003969899.tif 000004
【００３７】
次に、前述のように、モノクロ画像を、診断に慣れた従来のブルーベースのモノクロフィルム上の画像と違和感なく扱える高精細な表示画像として表示する場合の実施例を示す。この場合には、データ処理部１６は、上述の画素ｐ１，ｐ２およびｐ３に対応するＲ画素，Ｇ画素およびＢ画素へのデータ配分において、例えば、その一例を表４に示すように、Ｒデータ，Ｇデータに比較して、Ｂデータがやや大きめになるように配分を行う。
【００３８】
【表４】
0003969899.tif 000005
【００３９】
ここでは、例えば、前述の０から７６５までの輝度値を、輝度の低い領域では、Ｒデータ，Ｇデータに比較して、Ｂデータがやや大きい程度とし、輝度が高くなるに従って、Ｒデータ，ＧデータとＢデータとの差が大きくなるように配分している。これは、ブルーベースのフィルム上に再生される画像の低濃度部（輝度が高い部分に対応する）ではブルーの色味が強く、画像の高濃度部（輝度が低い部分に対応する）ではブルーの色味が弱くなるようにして、ブルーベースのフィルム上に再生される画像が、視覚的なコントラストの低下なしに観察できるようにするためである。
【００４０】
これにより、カラーディスプレイ上の画像を、従来のブルーベースのモノクロフィルム上の画像と違和感なく、さらに高精細な表示画像とすることが可能になる。
【００４１】
前記ＲＧＢの画像データ配分を行う場合、配分された結果として表示される画像の色度は、図４に示すように、色度図上で斜線を施した三角形の領域、座標で表現すると、（０．１７４，０），（０．４，０．４），（α，０．４）（ただし、αはスペクトル軌跡とｙ軸方向の座標が０．４である直線との交点のｘ座標である）で囲まれた領域内となることが好ましい。これは、視覚的に好ましいブルーに対応するものである。
【００４２】
また、データ処理部１６は、後述するように、画像撮影部Ｓから供給される１０ビットの画像データを、ＦＲＣ表示するために、画像表示装置１０による画像表示に対応する８ビットの画像データに変換し、液晶パネル１２のドライバ１８に供給する機能を有していてもよい。
【００４３】
図５に、このようなデータ処理部１６のブロック構成図を示す。図５に示すように、データ処理部１６は、１０ビットのフレームメモリ２４と、データ変換部２６と、８ビットのフレームメモリ２８ａ，２８ｂ，２８ｃおよび２８ｄと、切り換え部３０とから構成されている。切り換え部３０は、８ビットのフレームメモリ２８ａ，２８ｂ，２８ｃおよび２８ｄに格納されている８ビットの画像データを、ＦＲＣ表示する際に、これらを順次切り換えて出力する機能を有するものである。
【００４４】
上述のように構成されているデータ処理部１６において、インタフェイス２２から供給された１０ビットの画像データは、フレームメモリ２４に格納され、次いで、データ変換部２６に読み出され、８ビットの画像データに変換される。
【００４５】
以下、上述のように構成される、本実施例に係る画像表示装置１０における動作について説明する。
【００４６】
まず、第１の実施例として、ここでは、画像撮影部Ｓから供給される１０ビットの階調分解能を有する画像データを、上述のＦＲＣ表示機能を用いて、画像表示装置１０においても、１０ビットの階調分解能で表示する例を示す。
この場合には、画像撮影部Ｓから供給される１０ビットの階調分解能を有する画像データを、４フレームの８ビットの階調分解能を有する画像で表示するようにする。以下、これについて補足的な説明を行う。
【００４７】
周知のように、ＦＲＣ表示とは、階調分解能（ビット数）の高い画像データを階調分解能（ビット数）の低い画像データとして表示する際に、ビット数の高い画像データから、両者のビット数の差に応じた数の、ビット数の低い画像データを生成して、この画像データを、順次、表示することにより、ビット数の低い画像表示で高いビット数に相当する階調表現を行うものである。
【００４８】
具体的には、ビット数の差をｎとするとき２n のフレーム数の、ビット数の低い画像データを生成して、このビット数の低い画像データを、順次、表示することで、例えば、８ビットの階調分解能の画像４フレームを用いて、１０ビットの階調分解能に相当する階調表現を行う。そして、これにより、高輝度であっても、アーチファクトのない画像を表示するものである。
【００４９】
上述のように、１０ビットの画像表示は、８ビット×４フレームのＦＲＣ表示で表現することができる。
本実施例においては、データ処理部１６により、以下に説明するように、ＲＧＢデータの配分を行う。
【００５０】
まず、元のデータの０〜１０２３までの１０２４個のデータを、Ｒ，Ｇ，Ｂ各データに、表５に示すように配分する。
【００５１】
【表５】
0003969899.tif 000006
【００５２】
次に、表５に示すようにＲＧＢデータに配分されたデータを、表６に示すように、フレームデータ「＃１」〜「＃４」に配分する。
【００５３】
【表６】
0003969899.tif 000007
【００５４】
表６は、表５に示すように配分されたＲＧＢデータを、以下に述べるように、複数の時分割フレームのデータに配分するようにしたものである。
【００５５】
前述のように、１０ビットの画像表示は、８ビット×４フレームの時分割表示で実現することができる。すなわち、表６および図６に示すように、１０ビットの画像データ「８」は、「２，２，２，２」の４フレームの８ビットの画像データで表現できる。同様に、１０ビットの画像データ「９」は「３，２，２，２」の４フレームで、１０ビットの画像データ「１０」は「３，２，３，２」の４フレームで、また、１０ビットの画像データ「１１」は「３，３，３，２」の４フレームで、それぞれ表現できる。
【００５６】
上記実施例においては、単位画素がＲＧＢのセルで構成されるカラー表示デバイスを用いてモノクロ画像を表示する際に、画素をセル分割して、それぞれを独立に強度変調する、いわゆる面積変調法と強度変調法による階調表示制御と、ＦＲＣに代表される時間変調法による階調表示制御とを中心に説明を行ったが、これに加えて、パルス幅制御による時間変調法を用いること、あるいは、他の階調表示制御の方法をさらに組み合わせて階調表示制御を行うことも可能であることは言うまでもない。
【００５７】
なお、上記各実施例は、いずれも本発明の一例を示したものであり、本発明はこれらに限定されるべきものではないことは言うまでもない。
例えば、上記各実施例においては、表示装置としてＬＣＤを例に挙げたが、他の表示装置においても同様の制御を行うことにより、好ましい表示結果を得ることが可能になる。
【００５８】
【発明の効果】
以上、詳細に説明したように、本発明によれば、医療分野で用いられているモノクロ画像を、診断に適した高精細な表示画像として表示すること、すなわち、表示階調数を多階調化することが可能になる。
また、上述のような表示を行うに好適に用い得る画像表示装置を実現することも可能になる。
【００５９】
さらに、カラーディスプレイ上の画像を、従来のブルーベースのモノクロフィルム上の画像と違和感なく、さらに高精細な表示画像とすることが可能になるという効果も得られる。
【図面の簡単な説明】
【図１】  本発明の一実施例に係る画像表示装置を、医療用診断装置のモニタとして用いた場合の概念図である。
【図２】  （ａ）および（ｂ）は、図１に示した画像表示装置１０中のカラー液晶パネル１２の表示画面の部分拡大図である。
【図３】  画像データ値と輝度値とを関係付ける特性曲線の一例を示す図である。
【図４】  実施例に係る画像処理によるブルーベースのモノクロフィルム上の画像の再現される色度の好ましい存在領域を示す図である。
【図５】  図１に示した画像表示装置１０中のデータ処理部１６の構成を示すブロック図である。
【図６】  実施例に係る画像処理を説明するタイミングチャートである。
【符号の説明】
１０  画像表示装置
１２  液晶パネル
１４  バックライト部
１６  データ処理部
１８  液晶パネル１２のドライバ
２２  インタフェイス
２４  １０ビットのフレームメモリ
２６  データ変換部
２８ａ〜２８ｄ  ８ビットのフレームメモリ
３０  切り換え部
【図１】
0003969899.tif 000008
【図２】
0003969899.tif 000009
【図３】
0003969899.tif 000010
【図４】
0003969899.tif 000011
【図５】
0003969899.tif 000012
【図６】
0003969899.tif 000013